(57)【要約】【課題】搬送される媒体に対して適切な波打ち形状を形成できる記録装置を提供すること。【解決手段】記録装置１１は、インクを用いて用紙に記録を行うヘッドと、ヘッドと対向する位置に設けられ、用紙を支持する支持部２１と、支持部上を通過するように用紙を搬送する搬送ローラー２２と、支持部から上方に向かって延び、用紙の下面に接触する突部３３と、用紙が搬送される搬送方向においてヘッドよりも下流側に設けられ、用紙の上面に接触するローラー４１と、を備え、突部は、搬送方向と交差する用紙の幅方向において複数設けられ、ローラーは、幅方向において、突部とは異なる位置に複数設けられ、複数のローラーは、それぞれ幅方向に沿って並ぶように配置される複数の第一ローラー４４と複数の第二ローラー４５とを含んで構成され、第一ローラー及び第二ローラーは、搬送方向及び幅方向において互いに異なる位置に配置されている。【選択図】図２
2017222104.tif 000002
【特許請求の範囲】
【請求項１】
液体を用いてシート状の媒体に記録を行うヘッドと、
前記ヘッドと対向する位置に設けられ、前記媒体を支持する支持部と、
前記支持部上を通過するように前記媒体を搬送する搬送部と、
前記支持部から上方に向かって延び、前記媒体の下面に接触する突部と、
前記媒体が搬送される搬送方向において前記ヘッドよりも下流側に設けられ、前記媒体の上面に接触するローラーと、を備え、
前記突部は、前記搬送方向と交差する前記媒体の幅方向において複数設けられ、
前記ローラーは、前記幅方向において、前記突部とは異なる位置に複数設けられ、
複数の前記ローラーは、それぞれ前記幅方向に沿って並ぶように配置される複数の第一ローラーと複数の第二ローラーとを含んで構成され、
前記第一ローラー及び前記第二ローラーは、前記搬送方向及び前記幅方向において互いに異なる位置に配置されていることを特徴とする記録装置。
【請求項２】
前記第一ローラー及び前記第二ローラーは、前記幅方向から見たときに、互いに一部分が重なるように配置されていることを特徴とする請求項１に記載の記録装置。
【請求項３】
前記第一ローラーは、前記幅方向において前記突部と互い違いに配置され、
前記第二ローラーは、前記幅方向において複数の前記第一ローラーのうち隣り合う前記第一ローラー同士の間であって、且つ前記搬送方向において前記第一ローラーよりも下流側に配置されていることを特徴とする請求項１又は請求項２に記載の記録装置。
【請求項４】
前記第二ローラーは、前記媒体と接触する前記第二ローラーの下端が、前記媒体と接触する前記第一ローラーの下端よりも上方に位置するように配置されていることを特徴とする請求項１乃至請求項３のうち何れか一項に記載の記録装置。
【請求項５】
前記第二ローラーは、Ｌ判サイズである前記媒体の前記幅方向における端部と接触可能に配置されていることを特徴とする請求項１乃至請求項４のうち何れか一項に記載の記録装置。
【請求項６】
前記第二ローラーは、前記幅方向において、隣り合う前記第一ローラー同士の間に位置する前記突部よりも外側に配置されていることを特徴とする請求項１乃至請求項５のうち何れか一項に記載の記録装置。
【請求項７】
前記第一ローラー及び前記第二ローラーは歯付きのローラーであることを特徴とする請求項１乃至請求項６のうち何れか一項に記載の記録装置。
【発明の詳細な説明】
【技術分野】
【０００１】
本発明は、例えばインクジェット式プリンターなどの記録装置に関する。
【背景技術】
【０００２】
従来から、記録装置の一種として、媒体の一例である用紙に対して、液体の一例であるインクをヘッドから吐出することで記録を行うインクジェット式のプリンターが知られている。こうしたプリンターにおいては、記録を行う際に吐出されたインクが用紙の一面に付着することによって、用紙が他面側に湾曲することがある。このとき、湾曲することによって用紙がヘッドに向けて浮き上がるため、用紙がヘッドに接触してしまう虞がある。そこで、用紙が搬送される搬送方向と交差する幅方向に並んで設けられた複数のリブ及び複数の歯付きローラーを備えるプリンターが提案されている（例えば、特許文献１）。すなわち、このプリンターは、その一面にインクを付着させて搬送される用紙に対して、複数のリブが用紙を他面側から押し上げる一方、複数の歯付きローラーが用紙を一面側から押し下げ、用紙に波打ち形状を形成することで、用紙の浮き上がりを抑制し、用紙がヘッドに接触する虞を低減している。
【先行技術文献】
【特許文献】
【０００３】
【特許文献１】特開２００６−１５５３３号公報
【発明の概要】
【発明が解決しようとする課題】
【０００４】
ところで、特許文献１に記載のプリンターのように、用紙に波打ち形状を形成する場合は、用紙の端部が下向きとなるように波打ち形状を形成することが好ましい。しかし、用紙のサイズによっては、搬送される用紙の端部が歯付きローラーと接触しないことがあり得る。すなわち、幅方向における端部が上向きとなるような波打ち形状が用紙に形成されることとなり、用紙の端部がヘッドに接触してしまう虞がある。
【０００５】
本発明は、上記実情に鑑みてなされたものであり、その目的は、搬送される媒体に対して適切な波打ち形状を形成できる記録装置を提供することにある。
【課題を解決するための手段】
【０００６】
以下、上記課題を解決するための手段及びその作用効果について記載する。
上記課題を解決する記録装置は、液体を用いてシート状の媒体に記録を行うヘッドと、前記ヘッドと対向する位置に設けられ、前記媒体を支持する支持部と、前記支持部上を通過するように前記媒体を搬送する搬送部と、前記支持部から上方に向かって延び、前記媒体の下面に接触する突部と、前記媒体が搬送される搬送方向において前記ヘッドよりも下流側に設けられ、前記媒体の上面に接触するローラーと、を備え、前記突部は、前記搬送方向と交差する前記媒体の幅方向において複数設けられ、前記ローラーは、前記幅方向において、前記突部とは異なる位置に複数設けられ、複数の前記ローラーは、それぞれ前記幅方向に沿って並ぶように配置される複数の第一ローラーと複数の第二ローラーとを含んで構成され、前記第一ローラー及び前記第二ローラーは、前記搬送方向及び前記幅方向において互いに異なる位置に配置されている。
【０００７】
この構成によれば、搬送される媒体の上面に複数のローラーが接触し、媒体の下面に複数のリブが接触することで、媒体には波打ち形状が形成される。そして仮に、第一ローラーが媒体の端部と接触しないようなサイズの媒体が搬送される場合であっても、幅方向において第一ローラーとは異なる位置に配置される第二ローラーが、そのサイズの媒体の端部に接触することで、媒体の幅方向における端部が下向きとなるような波打ち形状を媒体に形成することができる。したがって、搬送される媒体に対して適切な波打ち形状を形成できる。
【０００８】
上記記録装置において、前記第一ローラー及び前記第二ローラーは、前記幅方向から見たときに、互いに一部分が重なるように配置されていることが好ましい。
この構成によれば、搬送方向において省スペースでローラーを配置できる。
【０００９】
上記記録装置において、前記第一ローラーは、前記幅方向において前記突部と互い違いに配置され、前記第二ローラーは、前記幅方向において複数の前記第一ローラーのうち隣り合う前記第一ローラー同士の間であって、且つ前記搬送方向において前記第一ローラーよりも下流側に配置されていることが好ましい。
【００１０】
この構成によれば、幅方向における媒体の端部に対して第一ローラーが接触しないようなサイズの媒体であっても、第二ローラーが媒体の端部に接触できるため、媒体に対して適切な波打ち形状を形成できる。
【００１１】
上記記録装置において、前記第二ローラーは、前記媒体と接触する前記第二ローラーの下端が、前記媒体と接触する前記第一ローラーの下端よりも上方に位置するように配置されていることが好ましい。
【００１２】
この構成によれば、突部及び第一ローラーにより媒体に形成された波打ち形状を、第二ローラーが媒体に接触することによって崩してしまう虞を低減することができる。
上記記録装置において、前記第二ローラーは、Ｌ判サイズである前記媒体の前記幅方向における端部と接触可能に配置されていることが好ましい。
【００１３】
この構成によれば、突部及び第二ローラーによって、Ｌ判サイズの媒体に対して適切な波打ち形状を形成できる。
上記記録装置において、前記第二ローラーは、前記幅方向において、隣り合う前記第一ローラー同士の間に位置する前記突部よりも外側に配置されていることが好ましい。
【００１４】
この構成によれば、幅方向における媒体の端部に対して第一ローラーが接触しないようなサイズの媒体であっても、突部により押し上げられた媒体の端部を第二ローラーが押し下げるため、適切な波打ち形状を媒体に形成できる。
【００１５】
上記記録装置において、前記第一ローラー及び前記第二ローラーは歯付きのローラーであることが好ましい。
この構成によれば、ヘッドにより媒体の上面に記録が行われる場合に、第一ローラー及び第二ローラーが媒体の上面に付着した液体により汚損してしまう虞を低減できる。
【図面の簡単な説明】
【００１６】
【図１】記録装置の一実施形態を概略的に示す斜視図。
【図２】リブ及びローラーの位置関係を示す上面図。
【図３】搬送方向から見たときのリブとローラーの位置関係を概略的に示す正面図。
【図４】突部及び第一ローラーにより用紙に波打ち形状を形成するときの正面図。
【図５】第二ローラーが用紙の端部に接触するときの正面図。
【図６】比較例として第二ローラーが第一ローラーと同じ高さ位置に設けられた場合の正面図。
【発明を実施するための形態】
【００１７】
以下、記録装置の一種であるインクジェット式プリンターの一実施形態について図を参照しながら説明する。
図１に示すように、記録装置１１は箱形状の筐体１２を備えている。筐体１２は、その上部に矩形の開閉蓋１３を有している。開閉蓋１３は、図１において奥側となる記録装置１１の背面側の端部を軸として回動可能に設けられている。すなわち、開閉蓋１３が開くことで、筐体１２の上部から記録装置１１の内部が露出される。また、筐体１２は、記録装置１１の背面とは反対側となる前面に、開閉蓋１３と同様に開閉可能に設けられた開閉パネル１４と、開閉カバー１５とを有している。筐体１２の前面において、開閉パネル１４が、開閉カバー１５の上側に位置している。開閉パネル１４には、各種情報を表示可能な表示部１６が設けられている。そして、開閉パネル１４は、その上端を軸として回動可能に設けられている一方で、開閉カバー１５は、その下端を軸として回動可能に設けられている。すなわち、開閉パネル１４及び開閉カバー１５が開くことで、筐体１２の前面側から記録装置１１の内部が露出される。
【００１８】
筐体１２内には、シート状の媒体の一例である用紙Ｐを下方から支持する支持部２１と、用紙Ｐを搬送する搬送部として複数の搬送ローラー２２が設けられている。搬送ローラー２２は、記録装置１１の背面側から前面側へと向かって支持部２１上を通過するように用紙Ｐを搬送する。すなわち、本実施形態においては、記録装置１１の背面側から前面側に向かう方向が、用紙Ｐの搬送方向とされている。そして、複数の搬送ローラー２２は、この搬送方向と交差する幅方向に並んで設けられ、支持部２１は、幅方向において長尺に設けられている。
【００１９】
また、筐体１２内において、搬送ローラー２２の上方には、幅方向に亘って延びるようにガイド軸２３が架設されている。そして、ガイド軸２３には、キャリッジ２４が幅方向へ移動可能に支持されている。キャリッジ２４は、支持部２１の上方をガイド軸２３に沿って移動可能であり、液体の一例であるインクを吐出可能なヘッド２５を搭載している。そして、ヘッド２５は、支持部２１に支持される用紙Ｐの上面にインクを吐出することで、用紙Ｐに記録を行う。
【００２０】
幅方向において、支持部２１と隣り合う位置（図１において右側）には、ヘッド２５のメンテナンスを行うメンテナンス機構２６が設けられている。メンテナンス機構２６は、ヘッド２５から吐出されたインクを受けるキャップ２７と、キャップ２７に一端が接続されるチューブ２８と、チューブ２８の他端が接続されるポンプ２９とを有している。すなわち、メンテナンス機構２６は、キャリッジ２４とともにガイド軸２３に沿って移動するヘッド２５をキャップ２７でキャッピングした状態で、ポンプ２９がチューブ２８を介してキャップ２７内を吸引し、ヘッド２５からインクを吐出させることにより、ヘッド２５のメンテナンスを行う。なお、キャッピングとは、インクの吐出面となるヘッド２５の下面にキャップ２７が接触することにより、ヘッド２５の吐出面が臨む閉空間を形成することを指す。
【００２１】
支持部２１の上面には、支持部２１から上方に向かって突出するリブ３１が複数設けられている。すなわち、リブ３１は、搬送される用紙Ｐに対して下方から接触する。換言すると、リブ３１は、用紙Ｐの下面に接触する。これらのリブ３１は、搬送方向において上流側と下流側の二列に分かれて配置され、それぞれ幅方向において所定の間隔をあけて並ぶように設けられている。また、支持部２１の上面には、搬送方向の上流側に位置するリブ３１を囲うようにして吸収シート３２が設けられている。吸収シート３２は、例えば用紙Ｐに対して縁なしの記録を行う場合に、ヘッド２５から吐出されたインクのうち用紙Ｐの縁からはみ出たインクを吸収する。
【００２２】
図２及び図３に示すように、支持部２１から延びる複数のリブ３１は、上方への突出量が互いに異なる複数の突部３３と複数の突起部３４とで構成されている。なお、突出量が相対的に大きい方が突部３３で、突出量が相対的に小さい方が突起部３４である。これらの突部３３及び突起部３４は、幅方向において対称的に配置されている。そして、支持部２１において搬送方向の上流側に並んで位置する突部３３及び突起部３４は、幅方向において互い違いとなるように交互に配置されている。また、支持部２１において搬送方向の下流側に並んで位置する突部３３及び突起部３４は、上流側に位置する突部３３及び突起部３４の幅方向における位置に準ずるように配置されている。なお、下流側の突起部３４は、上流側の突起部３４と比較して二つ多く設けられている。すなわち、搬送方向から見たときに、突起部３４が、隣り合う突部３３同士の間に配置され、突部３３及び突起部３４は、それぞれ互いに重ならないように配置されている。換言すると、搬送方向において上流側と下流側との二列に分かれて配置される突部３３及び突起部３４は、搬送方向においてそれぞれ突部３３同士、突起部３４同士で重なるように配置されているともいえる。
【００２３】
搬送方向において、ヘッド２５が対向する支持部２１よりも下流側には、搬送される用紙Ｐに対して上方から接触するローラー４１を保持する保持部４２が設けられている。ローラー４１は、保持部４２において、幅方向に亘って複数設けられ、それぞれ棒ばね４３を軸として回転可能に保持部４２に保持されている。本実施形態において、ローラー４１は、幅方向において対称的に配置され、支持部２１から突出する突部３３とは幅方向において異なる位置であって、且つ支持部２１から突出する突起部３４と対応するように配置されている。また、ローラー４１は、例えばスターホイールなど歯付きのもので構成され、搬送される用紙Ｐの上面にローラー４１の下端が接触することで、用紙Ｐの搬送に伴い従動回転される。
【００２４】
保持部４２に保持されるローラー４１は、高さ位置が互いに異なる複数の第一ローラー４４と複数の第二ローラー４５とで構成されている。なお、高さ位置が相対的に低い方が第一ローラー４４で、高さ位置が相対的に高い方が第二ローラー４５である。すなわち、第二ローラー４５は、第二ローラー４５の下端が、第一ローラー４４の下端よりも上方となるように配置されている。複数の第一ローラー４４は、幅方向に沿って並ぶように配置され、幅方向において支持部２１から突出する突部３３と互い違いになるように交互に配置されている。複数の第二ローラー４５は、搬送方向において重なるように配置され、幅方向において、隣り合う第一ローラー４４同士の間に配置されている。なお、本実施形態において、第二ローラー４５は二つ設けられている。詳述すると、第二ローラー４５は、幅方向において、隣り合う第一ローラー４４同士の間に位置する突部３３よりも外側となる位置にそれぞれ配置されている。また、第二ローラー４５は、搬送方向において第一ローラー４４よりも下流側に設けられ、幅方向から見たときに第一ローラー４４と互いに一部分が重なるように少しずれて配置されている。すなわち、第二ローラー４５は、搬送方向及び幅方向において、第一ローラー４４とは異なる位置に配置されている。
【００２５】
図３に示すように、搬送される用紙Ｐに対して、支持部２１から延びる突部３３が用紙Ｐを下方から押し上げる一方で、保持部４２に保持される第一ローラー４４が用紙Ｐを上方から押し下げる。すなわち、突部３３とローラー４１は、搬送される用紙Ｐに波打ち形状を形成する。なお、突起部３４は、ローラー４１により押し下げられた用紙Ｐの一部分を下方から支持する。通常、搬送される用紙Ｐがヘッド２５と接触することを避けるために、幅方向における用紙Ｐの端部が下向きとなるように波打ち形状を形成することが好ましい。そのため、本実施形態においては、記録装置１１が記録可能とするサイズの用紙Ｐの幅方向における端部が通過する位置に、ローラー４１がそれぞれ配置されている。また、ヘッド２５から吐出されるインクの着弾位置がずれることを抑制するために、用紙Ｐの波打ち形状は、規則的に形成されることが好ましい。そのため、突部３３及びローラー４１は、幅方向において所定の間隔をあけて規則的に配置されている。
【００２６】
次に、上記のように構成された記録装置１１の作用について説明する。
図４に示すように、本実施形態における記録装置１１は、例えば、搬送される用紙Ｐのサイズがはがきサイズ（幅１００ｍｍ）である場合、突部３３及び第一ローラー４４により、用紙Ｐの端部が下向きとなるように規則的な波打ち形状を用紙Ｐに形成する。次に、記録装置１１が、はがきサイズよりも幅が少し小さいサイズの用紙Ｐに記録を行う場合を考える。
【００２７】
図５に示すように、搬送される用紙Ｐのサイズが、はがきサイズよりも幅が少し小さいＬ判サイズ（幅８９ｍｍ）である場合、はがきサイズの用紙Ｐの端部が通過する位置に配置された第一ローラー４４は、Ｌ判サイズの用紙Ｐの端部に接触しない。すなわち、用紙Ｐのサイズによっては、突部３３及び第一ローラー４４により、用紙Ｐの端部が下向きとなるような波打ち形状を用紙Ｐに形成できないことがある。この点、本実施形態における記録装置１１は、第一ローラー４４とは搬送方向及び幅方向で異なる位置に設けられた第二ローラー４５により、はがきサイズよりも少し幅の小さいＬ判サイズの用紙Ｐであっても、用紙Ｐの端部が下向きとなるように適切な波打ち形状を用紙Ｐに形成することが可能とされている。仮に、第二ローラー４５を設けなかったとすると、図５において二点鎖線で示すように、用紙Ｐの端部が上向きとなる波打ち形状が用紙Ｐに形成されることとなる。
【００２８】
図６に示すように、次に、第二ローラー４５が第一ローラー４４と同じ高さ位置に設けられた場合を考えると、突部３３及び第一ローラー４４で適切な波打ち形状を形成可能なサイズの用紙（例えばはがきサイズの用紙）Ｐに対して、第二ローラー４５も用紙Ｐに接触する。幅方向において交互に配置された突部３３及び第一ローラー４４により、規則的な波打ち形状が用紙Ｐに形成されるため、第一ローラー４４同士の間に位置する第二ローラー４５もまた用紙Ｐに接触してしまうと、規則的な波打ち形状を形成できない虞がある。この点、本実施形態における第二ローラー４５は、図４に示すように、第一ローラー４４よりも高い位置に設けることで、突部３３及び第一ローラー４４により用紙Ｐに形成された波打ち形状を崩さないように構成されている。
【００２９】
なお、本実施形態においては、説明の理解を容易にするために、はがきサイズの用紙ＰとＬ判サイズの用紙Ｐを例に説明したが、その他のサイズの用紙Ｐにおいても同様のことがいえる。すなわち、本実施形態における記録装置１１は、突部３３及び第一ローラー４４では適切な波打ち形状を形成できないサイズの用紙Ｐであっても、第二ローラー４５がその用紙Ｐの端部に接触することで、適切な波打ち形状を形成することが可能とされている。
【００３０】
上記実施形態によれば、以下のような効果を得ることができる。
（１）第一ローラー４４が用紙Ｐの端部と接触しないようなサイズの用紙Ｐが搬送される場合であっても、幅方向において第一ローラー４４とは異なる位置に配置される第二ローラー４５が、そのサイズの用紙Ｐの端部に接触することで、用紙Ｐの幅方向における端部が下向きとなるような波打ち形状を用紙Ｐに形成することができる。したがって、搬送される用紙Ｐに対して適切な波打ち形状を形成できる。
【００３１】
（２）幅方向から見たときに、互いに一部分が重なるように第一ローラー４４及び第二ローラー４５が配置されているため、搬送方向において省スペースでローラー４１を配置できる。
【００３２】
（３）第二ローラー４５が幅方向において第一ローラー４４同士の間であって、且つ搬送方向において第一ローラー４４よりも下流側に配置されている。そのため、幅方向における用紙Ｐの端部に対して第一ローラー４４が接触しないようなサイズの用紙Ｐであっても、第二ローラー４５が用紙Ｐの端部に接触できるため、用紙Ｐに対して適切な波打ち形状を形成できる。
【００３３】
（４）第二ローラー４５の下端が第一ローラー４４の下端よりも上方に位置するように第二ローラー４５を配置することで、突部３３及び第一ローラー４４により用紙Ｐに形成された波打ち形状を、第二ローラー４５が用紙Ｐに接触することによって崩してしまう虞を低減することができる。
【００３４】
（５）第二ローラー４５を、Ｌ判サイズである用紙Ｐの幅方向における端部と接触可能に配置することで、突部３３及び第二ローラー４５によって、Ｌ判サイズの用紙Ｐに対して適切な波打ち形状を形成できる。
【００３５】
（６）第二ローラー４５は、幅方向において、隣り合う第一ローラー４４同士の間に位置する突部３３よりも外側に配置されている。そのため、幅方向における用紙Ｐの端部に対して第一ローラー４４が接触しないようなサイズの用紙Ｐであっても、突部３３により押し上げられた用紙Ｐの端部を第二ローラー４５が押し下げるため、適切な波打ち形状を用紙Ｐに形成できる。
【００３６】
（７）第一ローラー４４及び第二ローラー４５を歯付きのローラーで構成することで、第一ローラー４４及び第二ローラー４５が用紙Ｐの上面に付着したインクにより汚損してしまう虞を低減できる。また、用紙Ｐに記録された文字や画像などを汚してしまう虞も低減できる。
【００３７】
（８）幅方向から見たときに、第二ローラー４５が第一ローラー４４と重ならないよう配置された構成と比較して、第二ローラー４５が搬送方向においてヘッド２５と近接した位置に配置されるため、ヘッド２５に近接した位置で用紙Ｐに波打ち形状を形成できる。すなわち、用紙Ｐの波打ち形状が保たれた状態でヘッド２５が用紙Ｐに記録を行うことができ、用紙Ｐがヘッド２５と接触する虞を低減できる。
【００３８】
（９）ローラー４１の軸を棒ばね４３で構成することで、例えば剛性の大きい厚紙などの用紙Ｐにローラー４１が接触する際に棒ばね４３が変形するため、ローラー４１が用紙Ｐに折り目をつけてしまう虞を低減できる。すなわち、用紙Ｐに対してローラー４１を適切に接触させることができる。
【００３９】
なお、上記実施形態は以下のように変更してもよい。
・上記実施形態において、第二ローラー４５は二つに限らず、さらに設けられていてもよい。
【００４０】
・上記実施形態において、ローラー４１の軸は、棒ばね４３に限らず、単なるロッドでもよい。
・上記実施形態において、第二ローラー４５は、搬送方向において第一ローラー４４よりも上流側に配置されていてもよい。
【００４１】
・上記実施形態において、第二ローラー４５は、幅方向から見たときに、第一ローラー４４と完全に重ならない位置に設けられていてもよい。
・上記実施形態において、突部３３及び第一ローラー４４は、幅方向において交互に配置されていなくともよい。例えば、幅方向において隣り合う第一ローラー４４同士の間に突部３３が二つ設けられるように配置されていてもよい。
【００４２】
・上記実施形態において、突起部３４は設けずともよい。ただし、突起部３４を設けることで、より用紙Ｐの姿勢を安定させることができる。
・上記実施形態において、支持部２１から上方に延びるリブ３１は、搬送方向において上流側と下流側の２列に分かれて設けられる構成に限らず、搬送方向において連続している構成でもよい。
【００４３】
・上記実施形態において、記録装置１１は、幅方向に移動可能なキャリッジ２４にヘッド２５が搭載された所謂シリアルヘッド式のものに限らず、ラインヘッド式のものであってもよい。
【００４４】
・上記実施形態において、記録装置１１は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００４５】
１１…記録装置、２１…支持部、２２…搬送ローラー（搬送部）、２５…ヘッド、３１…リブ、３２…吸収シート、３３…突部、３４…突起部、４１…ローラー、４２…保持部、４３…棒ばね、４４…第一ローラー、４５…第二ローラー、Ｐ…用紙（媒体）。
【図１】
2017222104.tif 000003
【図２】
2017222104.tif 000004
【図３】
2017222104.tif 000005
【図４】
2017222104.tif 000006
【図５】
2017222104.tif 000007
【図６】
2017222104.tif 000008